(57)【特許請求の範囲】
【請求項１】
第一の伝送信号を送受信する第一のインターフェース部と、
第二の伝送信号を送受信する第二のインターフェース部と、
前記第一の伝送信号と前記第二の伝送信号の相互変換を行う主制御部と、
を備え、
前記主制御部は、（１）第一の通信装置から、前記第一のインターフェース部を通して入力された前記第一の伝送信号を、前記第二の伝送信号に変換して、第二の通信装置に、前記第二のインターフェース部を通して出力し、（２）前記第二の通信装置から、前記第二のインターフェース部を通して入力された前記第二の伝送信号を、前記第一の伝送信号に変換して、前記第一の通信装置に、前記第一のインターフェース部を通して出力し、
前記主制御部は、前記第二の通信装置から入力された前記第二の通信装置の発呼の開始を通知する起動信号に応答し、前記発呼の内容を確認する信号を前記第二の通信装置に出力し、それに対して前記第二の通信装置から入力された前記信号に含まれる前記第二の通信装置の前記発呼の前記内容を記憶するとともに、前記発呼の前記内容を前記第一の通信装置に出力する、電文変換装置。
【請求項２】
前記第一のインターフェース部は、８ビット電文信号を送受信する８ビット電文信号対応インターフェース部であり、
前記第二のインターフェース部は、５ビット電文信号を送受信する５ビット電文信号対応インターフェース部であり、
前記主制御部は、前記５ビット電文信号と前記８ビット電文信号の前記相互変換を行う、請求項１記載の電文変換装置。
【請求項３】
第一の伝送信号を送受信する第一のインターフェース部と、第二の伝送信号を送受信する第二のインターフェース部と、前記第一の伝送信号と前記第二の伝送信号の相互変換を行う主制御部と、を備えた電文変換装置と、
前記第一の伝送信号を送受信する第一の通信装置と、
前記第二の伝送信号を送受信する第二の通信装置と、
前記第一の通信装置と信号を送受信するセンタ装置と、
を備え、
前記主制御部は、（１）前記第一の通信装置から、前記第一のインターフェース部を通して入力された前記第一の伝送信号を、前記第二の伝送信号に変換して、前記第二の通信装置に、前記第二のインターフェース部を通して出力し、（２）前記第二の通信装置から、前記第二のインターフェース部を通して入力された前記第二の伝送信号を、前記第一の伝送信号に変換して、前記第一の通信装置に、前記第一のインターフェース部を通して出力し、
前記主制御部は、前記第二の通信装置から入力された前記第二の通信装置の発呼の開始を通知する起動信号に応答し、前記発呼の内容を確認する信号を前記第二の通信装置に出力し、それに対して前記第二の通信装置から入力された前記信号に含まれる前記第二の通信装置の前記発呼の前記内容を記憶するとともに、前記発呼の前記内容を前記第一の通信装置に出力する、データ収集システム。
【請求項４】
前記電文変換装置に関しては、前記第一のインターフェース部は、８ビット電文信号を送受信する８ビット電文信号対応インターフェース部であり、前記第二のインターフェース部は、５ビット電文信号を送受信する５ビット電文信号対応インターフェース部であり、前記主制御部は、５ビット電文信号と８ビット電文信号の相互変換を行い、
前記第一の通信装置は、８ビット電文信号を送受信する８ビット電文式通信装置であり、
前記第二の通信装置は、５ビット電文信号を送受信する５ビット電文式通信機能付きメータである、請求項３記載のデータ収集システム。
【請求項５】
第一の伝送信号を送受信する第一のインターフェース部と、第二の伝送信号を送受信する第二のインターフェース部と、前記第一の伝送信号と前記第二の伝送信号の相互変換を行う主制御部と、を備えた電文変換装置と、
前記第一の伝送信号を送受信する第一の通信装置と、
前記第二の伝送信号を送受信する第二の通信装置と、
前記第一の通信装置と信号を送受信するセンタ装置と、
を備え、
前記主制御部は、（１）前記第一の通信装置から、前記第一のインターフェース部を通して入力された前記第一の伝送信号を、前記第二の伝送信号に変換して、前記第二の通信装置に、前記第二のインターフェース部を通して出力し、（２）前記第二の通信装置から、前記第二のインターフェース部を通して入力された前記第二の伝送信号を、前記第一の伝送信号に変換して、前記第一の通信装置に、前記第一のインターフェース部を通して出力し、
前記第一のインターフェース部は、８ビット電文信号を送受信する８ビット電文信号対応インターフェース部であり、前記第二のインターフェース部は、５ビット電文信号を送受信する５ビット電文信号対応インターフェース部であり、前記主制御部は、前記５ビット電文信号と前記８ビット電文信号の前記相互変換を行い、
前記第一の通信装置は、８ビット電文信号を送受信する８ビット電文式通信装置であり、前記第二の通信装置は、５ビット電文信号を送受信する５ビット電文式通信機能付きメータであり、
前記８ビット電文式通信装置は８ビット電文式無線装置Ａであり、
前記８ビット電文式無線装置Ａは、それとは異なる８ビット電文式無線装置Ｂと無線によって接続されており、
その８ビット電文式無線装置Ｂは、公衆回線網または専用回線に接続されている、データ収集システム。
【請求項６】
前記８ビット電文式無線装置Ａおよび前記８ビット電文式無線装置Ｂは、特定小電力無線装置である、請求項５記載のデータ収集システム。
【発明の詳細な説明】
【０００１】
【発明の属する技術分野】
本発明は、電文変換装置および電文変換装置を利用したデータ収集システムに関する。
【０００２】
【従来の技術】
アナログ公衆回線網や専用線を利用する、ガス、水道、電気などの通信機能付きメータの自動検針および端末発呼通信などは、既に実用化されている。ここに、検針センター内のセンタ装置においては、８ビットのコードを用いて信号の送受信および収集されたデータの情報処理を行うセンタ装置が主に利用されているが、通信機能付きメータにおいては、５ビット電文式通信機能付きメータと８ビット電文式通信機能付きメータが共に利用されている。たとえば、ＬＰＧメータなどにおいては、５ビット電文式通信機能付きメータが現在でも多く利用されており、５ビット電文信号と８ビット電文信号を相互変換する機能をもつ伝送装置が開発されている。
【０００３】
はじめに、図８および図９を参照しながら、従来の５ビット／８ビット共通型伝送装置の構成について説明する。ここに、図８は、符合だけではなく、通信速度および誤り制御方式なども異なる５ビット電文信号と８ビット電文信号の主な特徴を示す一覧図であり、図９は、従来の技術における５ビット／８ビット共通型伝送装置の構成図である。
【０００４】
まず、図９を参照しながら、従来の技術における５ビット／８ビット共通型伝送装置の構成について説明する。
【０００５】
センタ装置１０は、８ビット電文信号の送受信および収集されたデータの情報処理を行う、検針センターに設置された装置である。
【０００６】
５ビット電文式通信機能付きメータ１７は、データの検針および５ビット電文信号の送受信を行うことのできる、各戸に備えられた機器である。
【０００７】
８ビット電文式通信機能付きメータ１９は、データの検針および８ビット電文信号の送受信を行うことのできる、各戸に備えられた機器である。
【０００８】
５ビット／８ビット共通型伝送装置１４は、５ビット電文信号と８ビット電文信号の相互変換を行う装置である。また、５ビット／８ビット共通型伝送装置１４は、センタ装置１０と、各戸に備えられた５ビット電文式通信機能付きメータ１７あるいは８ビット電文式通信機能付きメータ１９との間に介在し、アナログ公衆回線網１１に接続されている。ただし、５ビット電文式通信機能付きメータ１７を使用する際には、５ビット電文式通信機能付きメータ１７が５ビット電文信号対応インターフェース部１６に接続され、８ビット電文式通信機能付きメータ１９を使用する際には、８ビット電文式通信機能付きメータ１９が８ビット電文信号対応インターフェース部１８に接続される（図９においては、５ビット電文式通信機能付きメータ１７および８ビット電文式通信機能付きメータ１９の両方が図示されている）。なお、５ビット／８ビット共通型伝送装置１４の構成は以下に詳述される。
【０００９】
網制御部１２は、アナログ公衆回線網１１を通して着信したセンタ装置１０からの呼出や、５ビット電文式通信機能付きメータ１７あるいは８ビット電文式通信機能付きメータ１９からの発呼に応答して、５ビット電文式通信機能付きメータ１７あるいは８ビット電文式通信機能付きメータ１９を、アナログ公衆回線網１１に接続し、センタ装置１０と５ビット電文式通信機能付きメータ１７あるいは８ビット電文式通信機能付きメータ１９の間に、データ通信回路を構成する機能をもっている。
【００１０】
変復調部１３は、網制御部１２から出力された８ビット電文信号を復調し、８ビット電文式のデジタル信号として主制御部１５に出力し、逆に、主制御部１５から出力された８ビット電文式のデジタル信号を変調し、８ビット電文信号として網制御部１２に出力することのできる変復調回路をもっている。
【００１１】
主制御部１５は、各回路の動作を制御するとともに、変復調部１３より出力される８ビット電文式のデジタル信号を、８ビット電文信号対応インターフェース部１８に出力し、逆に、８ビット電文信号対応インターフェース部１８から出力される８ビット電文式のデジタル信号を、変復調部１３に出力する部分である。また、主制御部１５は、変復調部１３より出力される８ビット電文式のデジタル信号を、５ビット電文式のデジタル信号に変換して５ビット電文信号対応インターフェース部１６に出力し、逆に、５ビット電文信号対応インターフェース部１６から出力される５ビット電文式のデジタル信号を、８ビット電文式のデジタル信号に変換して変復調部１３に出力する部分である。
【００１２】
５ビット電文信号対応インターフェース部１６は、５ビット電文式通信機能付きメータ用の入出力端子をもち、５ビット電文式通信機能付きメータ１７と主制御部１５の間に介在して、５ビット電文式のデジタル信号の入出力を行う部分である。
【００１３】
８ビット電文信号対応インターフェース部１８は、８ビット電文式通信機能付きメータ用の入出力端子をもち、８ビット電文式通信機能付きメータ１９と主制御部１５の間に介在して、８ビット電文式のデジタル信号の入出力を行う部分である。
【００１４】
このような構成を有する、従来の５ビット／８ビット共通型伝送装置１４の動作について、図９を参照しながら説明する。
【００１５】
まず、アナログ公衆回線網１１を通して、センタ装置１０からの呼出が着信した場合について述べる。
【００１６】
網制御部１２は、センタ装置１０からの呼出の着信に応答して、電話機２０をアナログ公衆回線網１１より切離し、センタ装置１０と５ビット電文式通信機能付きメータ１７あるいは８ビット電文式通信機能付きメータ１９の間に、データ通信回路を構成する。通信状態が確立されると、変復調部１３は、センタ装置１０から伝送され網制御部１２を通して入力される８ビット電文信号を復調し、８ビット電文式のデジタル信号として主制御部１５に出力する。
【００１７】
８ビット電文式通信機能付きメータ１９が８ビット電文信号対応インターフェース部１８に接続されているとき、主制御部１５は、センタ装置１０から８ビット電文信号対応インターフェース部１８を指定する選択電文を受信すれば、８ビット電文式通信機能付きメータ１９に起動電文を送信して通信を開始する。その後、主制御部１５は、変復調部１３より出力された８ビット電文式のデジタル信号を、８ビット電文信号対応インターフェース部１８を通して８ビット電文式通信機能付きメータ１９にそのまま出力する。
【００１８】
５ビット電文式通信機能付きメータ１７が５ビット電文信号対応インターフェース部１６に接続されているとき、主制御部１５は、センタ装置１０から５ビット電文信号対応インターフェース部１６を指定する選択電文を受信すれば、５ビット電文式通信機能付きメータ１７に起動電文を送信して通信を開始する。その後、主制御部１５は、変復調部１３より出力された８ビット電文式のデジタル信号を、５ビット電文式のデジタル信号に変換し、５ビット電文信号対応インターフェース部１６を通して５ビット電文式通信機能付きメータ１７に出力する。
【００１９】
このようにして、センタ装置１０から５ビット電文式通信機能付きメータ１７あるいは８ビット電文式通信機能付きメータ１９へのデータ送信が行われる。
【００２０】
逆に、５ビット電文式通信機能付きメータ１７あるいは８ビット電文式通信機能付きメータ１９からセンタ装置１０へのデータの送信は、つぎのように行われる。
【００２１】
８ビット電文式通信機能付きメータ１９が接続されているとき、８ビット電文式通信機能付きメータ１９は、主制御部１５からの起動電文に対する８ビット電文式のデジタル信号、およびその後のセンタ装置１０からのメータ送信電文に対する８ビット電文式のデジタル信号を、８ビット電文信号対応インターフェース部１８を通して主制御部１５に出力する。そして、主制御部１５は、８ビット電文信号対応インターフェース部１８を通して入力された８ビット電文式のデジタル信号を、変復調部１３にそのまま出力する。
【００２２】
５ビット電文式通信機能付きメータ１７が接続されているとき、５ビット電文式通信機能付きメータ１７は、主制御部１５からの起動電文に対する５ビット電文式のデジタル信号、およびその後のセンタ装置１０からのメータ送信電文に対する５ビット電文式のデジタル信号を、５ビット電文信号対応インターフェース部１６を通して主制御部１５に出力する。そして、主制御部１５は、５ビット電文信号対応インターフェース部１６を通して入力された５ビット電文式のデジタル信号を、８ビット電文式のデジタル信号に変換して変復調部１３に出力する。
【００２３】
いずれのときにも、変復調部１３は、主制御部１５から出力された８ビット電文式のデジタル信号を変調し、８ビット電文信号として網制御部１２に出力する。網制御部１２は、変復調部１３によって復調された８ビット電文信号を、アナログ公衆回線網１１を通してセンタ装置１０に伝送する。
【００２４】
このようにして、５ビット電文式通信機能付きメータ１７あるいは８ビット電文式通信機能付きメータ１９からセンタ装置１０へのデータ送信が行われる。
【００２５】
ここまでは、センタ装置１０からの呼出が着信した場合におけるデータの送受信について述べたが、５ビット電文式通信機能付きメータ１７あるいは８ビット電文式通信機能付きメータ１９が発呼を要求した場合におけるデータの送受信についても、ほぼ同様である。
【００２６】
すなわち、５ビット電文式通信機能付きメータ１７の発呼の場合は、主制御部１５が５ビット電文式通信機能付きメータ１７に対して個別処理をした後、網制御部１２が、この要求に応答して、予め記憶されているセンタ装置１０の電話番号を、アナログ公衆回線網１１を通してダイヤル発信する。また、８ビット電文式通信機能付きメータ１９の発呼の場合は、網制御部１２が、この発呼電文に含まれるセンタ装置１０の電話番号を、アナログ公衆回線網１１を通してダイヤル発信する。このようなダイヤル発信による呼出に応答して、センタ装置１０と５ビット電文式通信機能付きメータ１７あるいは８ビット電文式通信機能付きメータ１９の間に、データ通信回路が構成される。通信状態が確立されると、５ビット／８ビット共通型伝送装置１４を介して、前述の通りにデータの送受信が行われる。
【００２７】
以上で述べられたような５ビット／８ビット共通型伝送装置１４を利用することにより、５ビット電文式通信機能付きメータ１７および８ビット電文式通信機能付きメータ１９の、アナログ公衆回線網１１を利用する自動検針および端末発呼通信が、可能となる。そして、いずれの場合においても、データ情報は、計算機による処理が容易な８ビット電文信号として伝送される。
【００２８】
【発明が解決しようとする課題】
ところで、ＰＨＳなどの無線公衆回線網や、ＩＳＤＮなどのデジタル公衆回線網を利用する通信方法の低価格化により、通信機能付きメータのデータ収集にも、これらの回線網を利用することが可能になってきた。
【００２９】
ここに、８ビット電文式無線公衆回線網制御装置を介して、無線公衆回線網を利用する、８ビット電文式通信機能付きメータのデータ収集システム、あるいは８ビット電文式デジタル公衆回線網制御装置を介して、デジタル公衆回線網を利用する、８ビット電文式通信機能付きメータのデータ収集システムは、すでに実用化されている。また、８ビット電文式無線装置を介して、無線を利用する、８ビット電文式通信機能付きメータのデータ収集システムも、すでに実用化されている。
【００３０】
しかしながら、たとえば共同検針などで、８ビット電文式通信機能付きメータとともに、５ビット電文式通信機能付きメータのデータ収集を行う場合、通信仕様が異なるため、上述のような、様々な回線に対応した８ビット電文式通信装置をそのまま活用することができなかった。そのため、たとえば５ビット／８ビット共通型伝送装置１４のような、それぞれの回線に対応した伝送装置を、独自に開発する必要があった。
【００３１】
また、配線不可能な場所に設置された通信機能付きメータのデータ収集を行うためには、特定小電力などを利用した無線システムを活用しなければならないが、８ビット電文式の無線装置をそのまま活用することができなかった。そのため、５ビットと８ビットに対応した無線装置を、独自に開発する必要があった。
【００３２】
本発明は、このような課題を考慮し、さまざまな８ビット電文式通信装置で共通に利用でき、かつ５ビット電文式通信機能付きメータのデータ収集を可能にする電文変換装置を提供することを目的とするものである。
【００３４】
【課題を解決するための手段】
第一の本発明（請求項１に対応）は、第一の伝送信号を送受信する第一のインターフェース部と、
第二の伝送信号を送受信する第二のインターフェース部と、
前記第一の伝送信号と前記第二の伝送信号の相互変換を行う主制御部と、
を備え、
前記主制御部は、（１）第一の通信装置から、前記第一のインターフェース部を通して入力された前記第一の伝送信号を、前記第二の伝送信号に変換して、第二の通信装置に、前記第二のインターフェース部を通して出力し、（２）前記第二の通信装置から、前記第二のインターフェース部を通して入力された前記第二の伝送信号を、前記第一の伝送信号に変換して、前記第一の通信装置に、前記第一のインターフェース部を通して出力し、
前記主制御部は、前記第二の通信装置から入力された前記第二の通信装置の発呼の開始を通知する起動信号に応答し、前記発呼の内容を確認する信号を前記第二の通信装置に出力し、それに対して前記第二の通信装置から入力された前記信号に含まれる前記第二の通信装置の前記発呼の前記内容を記憶するとともに、前記発呼の前記内容を前記第一の通信装置に出力する、電文変換装置である。
【００３５】
第二の本発明（請求項２に対応）は、前記第一のインターフェース部は、８ビット電文信号を送受信する８ビット電文信号対応インターフェース部であり、
前記第二のインターフェース部は、５ビット電文信号を送受信する５ビット電文信号対応インターフェース部であり、
前記主制御部は、前記５ビット電文信号と前記８ビット電文信号の前記相互変換を行う、第一の本発明の電文変換装置である。
【００３６】
第三の本発明（請求項３に対応）は、第一の伝送信号を送受信する第一のインターフェース部と、第二の伝送信号を送受信する第二のインターフェース部と、前記第一の伝送信号と前記第二の伝送信号の相互変換を行う主制御部と、を備えた電文変換装置と、
前記第一の伝送信号を送受信する第一の通信装置と、
前記第二の伝送信号を送受信する第二の通信装置と、
前記第一の通信装置と信号を送受信するセンタ装置と、
を備え、
前記主制御部は、（１）前記第一の通信装置から、前記第一のインターフェース部を通して入力された前記第一の伝送信号を、前記第二の伝送信号に変換して、前記第二の通信装置に、前記第二のインターフェース部を通して出力し、（２）前記第二の通信装置から、前記第二のインターフェース部を通して入力された前記第二の伝送信号を、前記第一の伝送信号に変換して、前記第一の通信装置に、前記第一のインターフェース部を通して出力し、
前記主制御部は、前記第二の通信装置から入力された前記第二の通信装置の発呼の開始を通知する起動信号に応答し、前記発呼の内容を確認する信号を前記第二の通信装置に出力し、それに対して前記第二の通信装置から入力された前記信号に含まれる前記第二の通信装置の前記発呼の前記内容を記憶するとともに、前記発呼の前記内容を前記第一の通信装置に出力する、データ収集システムである。
【００３７】
第四の本発明（請求項４に対応）は、前記電文変換装置に関しては、前記第一のインターフェース部は、８ビット電文信号を送受信する８ビット電文信号対応インターフェース部であり、前記第二のインターフェース部は、５ビット電文信号を送受信する５ビット電文信号対応インターフェース部であり、前記主制御部は、５ビット電文信号と８ビット電文信号の相互変換を行い、
前記第一の通信装置は、８ビット電文信号を送受信する８ビット電文式通信装置であり、
前記第二の通信装置は、５ビット電文信号を送受信する５ビット電文式通信機能付きメータである、第三の本発明のデータ収集システムである。
【００４１】
第五の本発明（請求項５に対応）は、第一の伝送信号を送受信する第一のインターフェース部と、第二の伝送信号を送受信する第二のインターフェース部と、前記第一の伝送信号と前記第二の伝送信号の相互変換を行う主制御部と、を備えた電文変換装置と、
前記第一の伝送信号を送受信する第一の通信装置と、
前記第二の伝送信号を送受信する第二の通信装置と、
前記第一の通信装置と信号を送受信するセンタ装置と、
を備え、
前記主制御部は、（１）前記第一の通信装置から、前記第一のインターフェース部を通して入力された前記第一の伝送信号を、前記第二の伝送信号に変換して、前記第二の通信装置に、前記第二のインターフェース部を通して出力し、（２）前記第二の通信装置から、前記第二のインターフェース部を通して入力された前記第二の伝送信号を、前記第一の伝送信号に変換して、前記第一の通信装置に、前記第一のインターフェース部を通して出力し、
前記第一のインターフェース部は、８ビット電文信号を送受信する８ビット電文信号対応インターフェース部であり、前記第二のインターフェース部は、５ビット電文信号を送受信する５ビット電文信号対応インターフェース部であり、前記主制御部は、前記５ビット電文信号と前記８ビット電文信号の前記相互変換を行い、
前記第一の通信装置は、８ビット電文信号を送受信する８ビット電文式通信装置であり、前記第二の通信装置は、５ビット電文信号を送受信する５ビット電文式通信機能付きメータであり、
前記８ビット電文式通信装置は８ビット電文式無線装置Ａであり、
前記８ビット電文式無線装置Ａは、それとは異なる８ビット電文式無線装置Ｂと無線によって接続されており、
その８ビット電文式無線装置Ｂは、公衆回線網または専用回線に接続されている、データ収集システムである。
【００４２】
第六の本発明（請求項６に対応）は、前記８ビット電文式無線装置Ａおよび前記８ビット電文式無線装置Ｂは、特定小電力無線装置である、第五の本発明のデータ収集システムである。
【００４４】
【発明の実施の形態】
以下では、当該発明にかかる実施の形態について、図面を参照しつつ説明を行う。なお、図１は本発明の一実施の形態である電文変換装置の構成図である。
【００４５】
まず、図１を参照しながら、本実施の形態における電文変換装置の構成について説明する。
【００４６】
センタ装置１は、８ビットのコードを用いて信号の送受信および収集されたデータの情報処理を行う装置である。
【００４７】
８ビット電文式無線装置Ａ３は、８ビット電文式の無線信号の送受信を行う装置である。また、８ビット電文式無線装置Ａ３は、８ビット電文式通信機能付きメータ用の入出力端子をもっており、電文変換装置５が、その入出力端子に接続されている。ここに、８ビット電文式の無線信号は、たとえば特定小電力無線信号であり、その伝送速度は、８ビット電文式の有線信号の伝送速度の７〜８倍である。
【００４８】
なお、８ビット電文式無線装置Ａ３は、つぎのような無線信号入出力部と、中央処理部と、図２に示されている８ビット電文式無線装置Ａ側８ビット電文信号対応インターフェース部Ｘとをもっている。
【００４９】
無線信号入出力部は、８ビット電文式の無線信号の送受信を行う部分である。
【００５０】
中央処理部は、無線信号入出力部で受信された８ビット電文式の無線信号を、８ビット電文式のデジタル信号として８ビット電文式無線装置Ａ側８ビット電文信号対応インターフェース部Ｘに送信し、逆に、８ビット電文式無線装置Ａ側８ビット電文信号対応インターフェース部Ｘから入力された８ビット電文式のデジタル信号を、８ビット電文信号として無線信号入出力部に出力する部分である。
【００５１】
８ビット電文式無線装置Ａ側８ビット電文信号対応インターフェース部Ｘは、フォトカプラ結合に対応した８ビット電文式のデジタル信号を送受信することができ、（電文変換装置５側の）８ビット電文信号対応インターフェース部４と接続されている。なお、８ビット電文式無線装置Ａ側８ビット電文信号対応インターフェース部Ｘと、８ビット電文信号対応インターフェース部４とは、接続部２１を介して、信号線によって結ばれており、この信号線は、接続部２１から自在に脱着されうる。
【００５２】
８ビット電文式無線装置Ｂ９は、公衆回線網２を通したセンタ装置１との８ビット電文信号の送受信、および８ビット電文式の無線信号の送受信を行う装置である。
【００５３】
５ビット電文式通信機能付きメータ８は、データの検針および５ビット電文信号の送受信を行うことのできる、各戸に備えられた機器である。
【００５４】
電文変換装置５は、以下に示される主制御部６と、８ビット電文信号対応インターフェース部４と、５ビット電文信号対応インターフェース部７とで構成されており、８ビット電文式無線装置Ａと５ビット電文式通信機能付きメータ８の間に介在し、５ビット電文信号と８ビット電文信号の相互変換を行う装置である。
【００５５】
主制御部６は、各回路の動作を統括制御する制御回路であって、８ビット電文信号と５ビット電文信号を一時的に格納しておくメモリを内蔵し、８ビット電文信号対応インターフェース部４に接続される８ビットのシリアルデータ入出力部と、５ビット電文信号対応インターフェース部７に接続される５ビットのシリアルデータ入出力部を有している。後に詳述されるように、主制御部６は、５ビット電文信号対応インターフェース部７より入力された５ビット電文式のデジタル信号を、８ビット電文式のデジタル信号に変換して８ビット電文信号対応インターフェース部４を介して８ビット電文式無線装置Ａ３に出力し、逆に、８ビット電文信号対応インターフェース部４より入力された８ビット電文式のデジタル信号を、５ビット電文式のデジタル信号に変換して、５ビット電文信号対応インターフェース部７を介して５ビット電文式通信機能付きメータ８に出力する機能をもっている。
【００５６】
８ビット電文信号対応インターフェース部４は、主制御部６と８ビット電文式無線装置Ａ３の間に介在して、フォトカプラ結合に対応した８ビット電文式のデジタル信号の入出力を行う部分である。なお、８ビット電文信号対応インターフェース部４の回路的な構成については、後述する。
【００５７】
５ビット電文信号対応インターフェース部７は、主制御部６と５ビット電文式通信機能付きメータ８の間に介在して、メタリック結合に対応した５ビット電文式のデジタル信号の入出力を行う部分である。なお、５ビット電文信号対応インターフェース部７の回路的な構成については、後述する。
【００５８】
ここで、図２および図３を参照しながら、インターフェース部の回路的な構成について説明する。ただし、図２は、８ビット電文式無線装置Ａ側８ビット電文信号対応インターフェース部Ｘと８ビット電文信号対応インターフェース部４の回路図を示しており、図３は、５ビット電文式通信機能付きメータ側５ビット電文信号対応インターフェース部Ｙと５ビット電文信号対応インターフェース部７の回路図を示している。
【００５９】
はじめに、図２を参照しながら、８ビット電文信号対応インターフェース部４と８ビット電文式無線装置Ａ側８ビット電文信号対応インターフェース部Ｘの回路的な構成について説明する。
【００６０】
８ビット電文信号対応インターフェース部４において、８ビット電文信号対応インターフェース部４と８ビット電文式無線装置Ａ側８ビット電文信号対応インターフェース部Ｘの相互接続点Ａ１は、スイッチＳＷ２の可動接点に接続されている。また、８ビット電文信号対応インターフェース部４と８ビット電文式無線装置Ａ側８ビット電文信号対応インターフェース部Ｘの相互接続点Ａ２は、スイッチＳＷ１の可動接点に接続されている。スイッチＳＷ１のメーク接点は、抵抗Ｒ１を介して電源電圧Ｖｈに接続されている。スイッチＳＷ１のブレーク接点は接地されている。また、スイッチＳＷ２のメーク接点は、抵抗Ｒ２を介して電源電圧Ｖｈに接続されるとともに、データ入出力ラインＬ１にも結ばれている。スイッチＳＷ２のブレーク接点は接地されている。なお、スイッチＳＷ１およびスイッチＳＷ２は、半導体スイッチで構成されており、主制御部６に内蔵されている制御回路により制御される。通常状態（非通信状態）において、スイッチＳＷ１はブレーク接点側にあり、スイッチＳＷ２はメーク接点側にある。また、データ入出力ラインＬ１の一端は、主制御部６に内蔵されているメモリに、８ビットのシリアルデータ入出力部を通して接続されている。
【００６１】
８ビット電文式無線装置Ａ側８ビット電文信号対応インターフェース部Ｘにおいて、フォトカプラＦ１のフォトトランジスタＦ１ｔのコレクタは、相互接続点Ａ１に接続されており、フォトトランジスタＦ１ｔのエミッタは、相互接続点Ａ２に接続されている。また、フォトカプラＦ２の発光ダイオードＦ２ｄは、フォトトランジスタＦ１ｔと並列に接続されている。したがって、８ビット電文式無線装置Ａ３と電文変換装置５は、フォトカプラＦ１およびＦ２によって、電気的に絶縁されている。後述されるように、フォトカプラＦ１のフォトトランジスタＦ１ｔは、８ビット電文式無線装置Ａ３側から電文変換装置５側への信号送信に利用され、発光ダイオードＦ２ｄは、電文変換装置５側から８ビット電文式無線装置Ａ３側への信号送信に利用される。
【００６２】
つぎに、図３を参照しながら、５ビット電文信号対応インターフェース部７と５ビット電文式通信機能付きメータ側５ビット電文信号対応インターフェース部Ｙの回路的な構成について説明する。
【００６３】
５ビット電文信号対応インターフェース部７において、スイッチＳＷ３、抵抗Ｒ３、抵抗Ｒｈは、電源電圧Ｖｈに直列に接続されている。抵抗Ｒｈの一端は、スイッチＳＷ４を介して接地されている。また、抵抗Ｒ３と並列に接続された抵抗Ｒ４の一端も接地されている。抵抗Ｒ３と抵抗Ｒｈの接続点と、抵抗Ｒ４の接地されていない一端とは、データ入出力ラインＬ２によって接続されている。また、データ入出力ラインＬ２の一端は、主制御部６に内蔵されているメモリに、５ビットのシリアルデータ入出力部を通して接続されている。データ入出力ラインＬ２の他の一端は、５ビット電文信号対応インターフェース部７と５ビット電文式通信機能付きメータ側５ビット電文信号対応インターフェース部Ｙの相互接続点ＤＴである。スイッチＳＷ３およびスイッチＳＷ４は、半導体スイッチで構成されており、主制御部６に内蔵されている制御回路により制御される。なお、通常状態（非通信状態）において、スイッチＳＷ３およびスイッチＳＷ４は、ともにＯＦＦ状態である。５ビット電文信号対応インターフェース部７と５ビット電文式通信機能付きメータ側５ビット電文信号対応インターフェース部Ｙの相互接続点ＳＧは、接地されている。なお、抵抗Ｒｈの値は、抵抗Ｒ４の値に比べて十分に小さい。
【００６４】
５ビット電文式通信機能付きメータ側５ビット電文信号対応インターフェース部Ｙにおいて、スイッチＳＷ５、抵抗Ｒ５、抵抗Ｒｍは、電源電圧Ｖｍに直列に接続されている。抵抗Ｒｍの一端は、スイッチＳＷ６を介して接地されている。また、抵抗Ｒ４と並列に接続された抵抗Ｒ６の一端も接地されている。データ入出力ラインＬ３の一端は、５ビット電文式通信機能付きメータ８に内蔵されている制御回路に接続されている。抵抗Ｒ５と抵抗Ｒｍの接続点と、抵抗Ｒ６の接地されていない一端とは、データ入出力ラインＬ３によって接続されている。また、データ入出力ラインＬ３の他の一端は、５ビット電文信号対応インターフェース部７と５ビット電文式通信機能付きメータ側５ビット電文信号対応インターフェース部Ｙの相互接続点ＤＴである。スイッチＳＷ５およびスイッチＳＷ６は、半導体スイッチで構成されており、５ビット電文式通信機能付きメータ８に内蔵されている制御回路により制御される。なお、通常状態（非通信状態）において、スイッチＳＷ５およびスイッチＳＷ６は、ともにＯＦＦ状態である。５ビット電文信号対応インターフェース部７と５ビット電文式通信機能付きメータ側５ビット端末インターフェース部Ｙの相互接続点ＳＧは、接地されている。なお、抵抗Ｒｍの値は、抵抗Ｒ６の値に比べて十分に小さい。
【００６５】
このような構成を有する、本実施の形態における電文変換装置の動作について、図１を参照しながら説明する。
【００６６】
まず、センタ装置１からの呼出が発信される場合について述べる。センタ装置１は、８ビット電文式無線装置Ｂに、公衆回線網２を通して信号を送信する。８ビット電文式無線装置Ｂは、センタ装置１より発信された信号を受信し、これを無線信号として、８ビット電文式無線装置Ａに送信する。８ビット電文式無線装置Ａは、８ビット電文式無線装置Ｂより発信された無線信号を受信し、これを有線信号として電文変換装置５に送信する。電文変換装置５は、８ビット電文式無線装置Ａより送信された信号の着信に応答して、センタ装置１と５ビット電文式通信機能付きメータ８の間にデータ通信回路を構成する。
【００６７】
通信状態が確立されると、８ビット電文式無線装置Ａ３の中央処理部は、８ビット電文式無線装置Ｂ９から伝送されてくる８ビット電文信号を、８ビット電文式のデジタル信号として、８ビット電文式無線装置Ａ側８ビット電文信号対応インターフェース部Ｘに、３００ｂｐｓの速度で出力する。８ビット電文式無線装置Ａ側８ビット電文信号対応インターフェース部Ｘは、この８ビット電文式のデジタル信号を、（電文変換装置５側の）８ビット電文信号対応インターフェース部４に、３００ｂｐｓの速度で出力する。
【００６８】
８ビット電文信号対応インターフェース部４は、この８ビット電文式のデジタル信号を、主制御部６に、８ビットのシリアルデータ入出力部を通して、３００ｂｐｓの速度でシリアル伝送する。主制御部６は、この８ビット電文式のデジタル信号を、水平・垂直パリティチェックし、８ビット電文信号として、主制御部６に内蔵されているメモリに一度格納する。主制御部６は、この内部メモリに格納された８ビット電文信号を、予め記憶されているプログラムにより定められたシーケンスにしたがって、同等な内容をもつ５ビット電文信号に変換し、５ビット電文式のデジタル信号として、主制御部６に内蔵されている５ビットのシリアルデータ入出力部を通し、５ビット電文信号対応インターフェース部７に、２００ｂｐｓの速度でシリアル伝送する。５ビット電文信号対応インターフェース部７は、電圧を供給して５ビット電文式通信機能付きメータ８を起動するとともに、この５ビット電文式のデジタル信号を、図３に示されている５ビット電文式通信機能付きメータ側５ビット電文信号対応インターフェース部Ｙを通し、５ビット電文式通信機能付きメータ８に、２００ｂｐｓの速度で伝送する。
【００６９】
また、センタ装置１からの呼出が着信した場合における、５ビット電文式通信機能付きメータ８からセンタ装置１へのデータの送信は、つぎのように行われる。すなわち、５ビット電文式通信機能付きメータ８は、電文変換装置５の５ビット電文信号対応インターフェース部７から供給される起動電圧を検知するとともに、メータ送信電文に対するセンタ装置１０からの５ビット電文式のデジタル信号を、５ビット電文式通信機能付きメータ側５ビット電文信号対応インターフェース部Ｙを通し、５ビット電文信号対応インターフェース部７に、２００ｂｐｓの速度で伝送する。５ビット電文信号対応インターフェース部７は、この５ビット電文式のデジタル信号を、主制御部６に、５ビットのシリアルデータ入出力部を通して、２００ｂｐｓの速度でシリアル伝送する。主制御部６は、この５ビット電文式のデジタル信号を、反転二連送チェックし、５ビット電文信号として、主制御部６に内蔵されているメモリに、一度格納する。主制御部６は、この内部メモリに格納された５ビット電文信号を、予め記憶されているプログラムにより定められたシーケンスにしたがって、同等な内容をもつ８ビット電文信号に変換し、８ビット電文式のデジタル信号として、主制御部６に内蔵されている８ビットのシリアルデータ入出力部を通し、８ビット電文信号対応インターフェース部４に、３００ｂｐｓの速度でシリアル伝送する。８ビット電文信号対応インターフェース部４は、この８ビット電文式のデジタル信号を、８ビット電文式無線装置Ａ側８ビット電文信号対応インターフェース部Ｘに、３００ｂｐｓの速度で出力する。
【００７０】
８ビット電文式無線装置Ａ側８ビット電文信号対応インターフェース部Ｘは、この８ビット電文式のデジタル信号を、中央処理部に、３００ｂｐｓの速度で出力する。中央処理部は、この８ビット電文式のデジタル信号を、８ビット電文式の無線信号として、無線信号入出力部を通し８ビット電文式無線装置Ｂに送信する。
【００７１】
以上では、センタ装置１からの呼出が着信した場合におけるデータの送受信について述べた。５ビット電文式通信機能付きメータ８が端末発呼を要求した場合におけるデータの送受信についても、ほぼ同様である。
【００７２】
５ビット電文式通信機能付きメータ８が、端末発呼開始を通知する起動信号を出力したとき、主制御部６は、その起動信号に応答して、５ビット電文式通信機能付きメータ８に対して、その端末発呼の内容の確認を行う電文信号を出力する。５ビット電文式通信機能付きメータ８が、その確認を行う電文信号に対して、端末発呼の内容を含む電文信号を出力すると、主制御部６は、その端末発呼の内容を、主制御部６に内蔵されているメモリに一度格納する。その後、主制御部６は、主制御部６に予め記憶されているセンタ装置１の電話番号を含む８ビット型式の発呼電文を、８ビット電文信号対応インターフェース部４を通し、８ビット電文式無線装置Ａ３に送信する。
【００７３】
８ビット電文式無線装置Ａ３は、この８ビット型式の発呼電文を受信し、これを無線信号として、８ビット電文式無線装置Ｂ９に送信する。８ビット電文式無線装置Ｂ９は、８ビット電文式無線装置Ａ３より発信された無線信号を受信し、これをアナログ公衆回線網２を通してセンタ装置１に送信する。その後、センタ装置１は、発呼情報要求電文を、８ビット電文式無線装置Ｂ９、８ビット電文式無線装置Ａ３を介して主制御部６に送信する。
【００７４】
主制御部６は、その発呼情報要求電文を受信し、主制御部６に内蔵されているメモリに一度格納された発呼情報を、予め記憶されているプログラムにより定められたシーケンスにしたがって、同様の内容をもつ８ビット電文信号に変換し、センタ装置１に送信する。
【００７５】
センタ装置１が、主制御部６より送信された発呼情報を受信すると、データ通信回路が、センタ装置１と５ビット電文式通信機能付きメータ８の間に構成され、信号の送受信が、電文変換装置５を介して、前述の通りに行われる。すなわち、センタ装置１が、設定・要求電文を、５ビット電文式通信機能付きメータ８に対してさらに送信した場合には、前述されたようなセンタ装置１からの呼出が着信した場合と同様にして、信号の送受信が行われる。
【００７６】
つぎに、図２および図３を参照しながら、８ビット電文信号対応インターフェース部４の回路的な動作および５ビット電文信号対応インターフェース部７の回路的な動作について説明する。
【００７７】
通常状態（非通信状態）において、フォトカプラＦ１の発光ダイオードＦ１ｄは発光しておらず、トランジスタＦ１ｔはＯＦＦ状態となっている。また、すでに述べたように、スイッチＳＷ１はブレーク接点側にあり、スイッチＳＷ２はメーク接点側にあるので、フォトカプラＦ２の発光ダイオードＦ２ｄのアノード側における電位はグラウンドレベルであり、発光ダイオードＦ２ｄも発光していない。
【００７８】
すでに述べたようにして通信状態が確立されると、８ビット電文式無線装置Ａ３から５ビット電文式通信機能付きメータ８への信号の送信は、つぎのようにして行われる。
【００７９】
まず、図２において、フォトカプラＦ１の発光ダイオードＦ１ｄに１／０の電流信号が流れることにより、フォトトランジスタＦ１ｔは、発光ダイオードＦ１ｄの光を受光して、ＯＮ／ＯＦＦされる。したがって、電源電圧Ｖｈから抵抗Ｒ２、スイッチＳＷ２、相互接続点Ａ１、フォトトランジスタＦ１ｔ、相互接続点Ａ２、スイッチＳＷ１を介し、接地の経路を通って電流が流れ、これを検出することにより、電文変換装置５側で１／０の電流信号の受信を行うことができる。
【００８０】
つぎに、図３において、主制御部６の制御動作により、スイッチＳＷ３がＯＮして相互接続点ＤＴの電圧レベルを上げることによって、５ビット電文式通信機能付きメータ８を起動させる。さらに、スイッチＳＷ４がＯＮ／ＯＦＦされて相互接続点ＤＴの電圧レベルが変動し、１／０の電圧信号が流れる。これを検出することにより、５ビット電文式通信機能付きメータ８側で１／０の電圧信号の受信を行うことができる。
【００８１】
このようにして、センタ装置１からの呼出が着信した場合における、８ビット電文式無線装置Ａ３から５ビット電文式通信機能付きメータ８への信号の送信が行われる。逆に、センタ装置１からの呼出が着信した場合における、５ビット電文式通信機能付きメータ８から８ビット電文式無線装置Ａ３への信号の送信は、つぎのようにして行われる。
【００８２】
まず、図３において、５ビット電文式通信機能付きメータ８に内蔵されている制御回路の動作により、スイッチＳＷ６がＯＮ／ＯＦＦされて相互接続点ＤＴの電圧レベルが変動し、１／０の電圧信号が流れる（スイッチＳＷ３はＯＮ状態である）。これを検出することにより、５ビット電文信号対応インターフェース部７側で１／０の電圧信号の受信を行うことができる。
【００８３】
つぎに、図２において、主制御部６の制御動作により、スイッチＳＷ２がブレーク接点側に切り換えられて接地される。スイッチＳＷ１は、主制御部６の制御動作によりＯＮ／ＯＦＦされ、電源電圧Ｖｈから抵抗Ｒ１、スイッチＳＷ１、相互接続点Ａ２、発光ダイオードＦ２ｄ、相互接続点Ａ１、スイッチＳＷ２を介し、接地の経路を通って電流が流れる。したがって、フォトカプラＦ２の発光ダイオードＦ２ｄに１／０の電流信号が流れ、フォトトランジスタＦ２ｔは、発光ダイオードＦ２ｄの光を受光して、ＯＮ／ＯＦＦされる。これを検出することにより、８ビット電文式無線装置Ａ３側で１／０の電流信号の受信を行うことができる。なお、この電流信号の送信が終了すると、主制御部６の制御動作により、スイッチＳＷ２は再びメーク接点側に切り換えられる。
【００８４】
このようにして、電文変換装置５を介する、８ビット電文式無線装置Ａ３と５ビット電文式通信機能付きメータ８の間での信号の送受信が行われるが、通信終了時には、主制御部６の制御動作により、スイッチＳＷ３がＯＦＦ状態となって、５ビット電文式通信機能付きメータ８への電源電圧Ｖｈの供給が停止され、通常状態（非通信状態）に戻る。
【００８５】
ここまで、センタ装置１からの呼出が着信した場合における信号の送受信について述べたが、５ビット電文式通信機能付きメータ８が発呼を要求した場合における信号の送受信についても、ほぼ同様である。
【００８６】
すなわち、図３において、５ビット電文式通信機能付きメータ８が発呼を要求した場合には、５ビット通信機能付きメータ８に内蔵されている制御回路の動作により、スイッチＳＷ５がＯＮ／ＯＦＦされ、５ビット電文式通信機能付きメータ８は、電源電圧Ｖｍによる起動信号を、電文変換装置５に送信する。この起動信号によって、電文変換装置５は、スイッチＳＷ３をＯＮにし、電文変換装置５と５ビット電文通信機能付きメータ８の間に通信状態が確立される。
【００８７】
電文変換装置５がスイッチＳＷ４をＯＮ／ＯＦＦし、５ビット電文通信機能付きメータ８がスイッチＳＷ６をＯＮ／ＯＦＦすることにより、信号の送受信が行われ、電文変換装置５は、発呼情報を５ビット電文通信機能付きメータ８に確認する。
【００８８】
その後、電文変換装置５の制御動作により、スイッチＳＷ３がＯＦＦ状態となって、５ビット電文通信機能付きメータ８への電源電圧Ｖｈの供給が停止され、一度通常状態（非通信状態）に戻ってから、電文変換装置５からセンタ装置１への発呼情報の送信が行われる。
【００８９】
センタ装置１が、設定・要求電文を、５ビット電文式通信機能付きメータ８に対してさらに送信した場合には、電文変換装置５は、再びスイッチＳＷ３をＯＮにする。このようにして、データ通信回路が、センタ装置１と５ビット電文式通信機能付きメータ８の間に構成され、信号の送受信が、電文変換装置５を介して、前述の通りに行われる。
【００９０】
通信終了時には、電文変換装置５の制御動作により、スイッチＳＷ３がＯＦＦ状態となって、５ビット電文通信機能付きメータ８への電源電圧Ｖｈの供給が停止され、通常状態（非通信状態）に戻る。
【００９１】
以上で述べられたような電文変換装置を利用することにより、（８ビット電文式通信機能付きメータ用の入出力端子をもつ）８ビット電文式無線装置Ａ３を介して、５ビット電文端末の通信機能付きメータの自動検針および端末発呼通信が可能となり、信号は、無線および公衆回線網を通して伝送される。
【００９２】
なお、上述した実施の形態における８ビット電文式無線装置Ａおよび８ビット電文式無線装置Ｂは、特定小電力無線装置であってもよいし、その他の無線装置であってもよい。
【００９３】
また、本発明で利用される８ビット電文式通信装置は、上述した実施の形態におけるように８ビット電文式無線装置Ａである必要はなく、図４に示されているように、アナログ公衆回線網２を通してセンタ装置１と結ばれている８ビット電文式アナログ公衆回線網制御装置２２であってもよい。
【００９４】
また、本発明で利用される８ビット電文式通信装置は、上述した実施の形態におけるように８ビット電文式無線装置Ａである必要はなく、図５に示されているように、デジタル公衆回線網２３を通してセンタ装置１と結ばれている８ビット電文式デジタル公衆回線網制御装置２４であってもよい。
【００９５】
また、本発明で利用される８ビット電文式通信装置は、上述した実施の形態におけるように８ビット電文式無線装置Ａである必要はなく、図６に示されているように、無線公衆回線網２５を通してセンタ装置１と結ばれている８ビット電文式無線公衆回線網制御装置２６であってもよい。
【００９６】
また、本発明で利用される８ビット電文式通信装置は、上述した実施の形態におけるように８ビット電文式無線装置Ａである必要はなく、図７に示されているように、公衆回線網２７を通してセンタ装置１と結ばれている８ビット電文式集中伝送装置２８であってもよい。
【００９７】
また、本発明で利用される電文変換装置は、上述した実施の形態におけるように５ビット電文信号と８ビット電文信号の相互変換を行う装置である必要はない。すなわち、本発明で利用される電文変換装置は、第一の伝送信号を送受信する第一のインターフェース部と、第二の伝送信号を送受信する第二のインターフェース部と、前記第一の伝送信号と前記第二の伝送信号の相互変換を行う主制御部とを備え、
前記主制御部は、第一の通信装置から、前記第一のインターフェース部を通して入力された前記第一の伝送信号を、前記第二の伝送信号に変換して、第二の通信装置に、前記第二のインターフェース部を通して出力し、
また、前記第二の通信装置から、前記第二のインターフェース部を通して入力される前記第二の伝送信号を、前記第一の伝送信号に変換して、第一の通信装置に、前記第一のインターフェース部を通して出力することを特徴とする電文変換装置であればよい。
以上の説明から明らかなように、本発明または本発明に関連する発明は、さまざまな通信装置で共通に利用することが可能であるような、電文変換装置を提供することができる。
また、本発明または本発明に関連する発明は、通信装置からの信号を、確実に、しかもスムーズに、もう一つの通信装置に送信することが可能であるような、電文変換装置を提供することができる。
また、本発明または本発明に関連する発明は、さまざまな８ビット電文式通信装置で共通に利用することが可能であるような、５ビット電文式通信装置用の電文変換装置を提供することができる。
また、本発明または本発明に関連する発明は、さまざまな通信装置で共通に利用することが可能であるような、データ収集システムを提供することができる。
また、本発明または本発明に関連する発明は、さまざまな８ビット電文式通信装置で共通に利用することが可能であるような、５ビット電文式通信機能付きメータのデータ収集システムを提供することができる。
また、本発明または本発明に関連する発明は、アナログ公衆回線網が利用できるような、８ビット電文式アナログ公衆回線網制御装置を有する、５ビット電文式通信機能付きメータの自動検針システムを提供することができる。
また、本発明または本発明に関連する発明は、デジタル公衆回線網が利用できるような、８ビット電文式デジタル公衆回線網制御装置を有する、５ビット電文式通信機能付きメータの自動検針システムを提供することができる。
また、本発明または本発明に関連する発明は、無線公衆回線網が利用できるような、８ビット電文式無線公衆回線網制御装置を有する、５ビット電文式通信機能付きメータの自動検針システムを提供することができる。
また、本発明または本発明に関連する発明は、無線と公衆回線網、または無線と専用回線が利用できるような、８ビット電文式無線装置Ａおよび８ビット電文式無線装置Ｂを有する、５ビット電文式通信機能付きメータの自動検針システムを提供することができる。
また、本発明または本発明に関連する発明は、前記８ビット電文式無線装置Ａおよび前記８ビット電文式無線装置Ｂが特定小電力無線装置であるような、５ビット電文式通信機能付きメータの自動検針システムを提供することができる。
また、本発明または本発明に関連する発明は、公衆回線網または専用回線が利用できるような、８ビット電文式集中伝送装置を有する、５ビット電文式通信機能付きメータの自動検針システムを提供することができる。
【００９８】
【発明の効果】
以上の説明から明らかなように、本発明は、さまざまな通信装置で共通に利用することが可能であるような、電文変換装置を提供することができる。
【図面の簡単な説明】
【図１】本発明の一実施の形態で説明される電文変換装置の構成図である。
【図２】本発明の一実施の形態で説明される８ビット電文式無線装置Ａ側８ビット電文信号対応インターフェース部と（電文変換装置側の）８ビット電文信号対応インターフェース部の回路図である。
【図３】本発明の一実施の形態で説明される５ビット電文式通信機能付きメータ側５ビット電文信号対応インターフェース部と（電文変換装置側の）５ビット電文信号対応インターフェース部の回路図である。
【図４】本発明の一実施の形態で説明される、８ビット電文式アナログ公衆回線網制御装置を利用するデータ収集システムの概念図である。
【図５】本発明の一実施の形態で説明される、８ビット電文式デジタル公衆回線網制御装置を利用するデータ収集システムの概念図である。
【図６】本発明の一実施の形態で説明される、８ビット電文式無線公衆回線網制御装置を利用するデータ収集システムの概念図である。
【図７】本発明の一実施の形態で説明される、８ビット電文式集中伝送装置を利用するデータ収集システムの概念図である。
【図８】５ビット電文信号および８ビット電文信号の特徴を対比的に述べた一覧図である。
【図９】従来の技術による５ビット／８ビット共通型伝送装置の構成図である。
【符号の説明】
１  センタ装置
２  アナログ公衆回線網
３  ８ビット電文式無線装置Ａ
４  ８ビット電文信号対応インターフェース部
５  電文変換装置
６  主制御部
７  ５ビット電文信号対応インターフェース部
８  ５ビット電文式通信機能付きメータ
９  ８ビット電文式無線装置Ｂ
１０  センタ装置
１１  アナログ公衆回線網
１２  網制御部
１３  変復調部
１４  ５ビット／８ビット共通型伝送装置
１５  主制御部
１６  ５ビット電文信号対応インターフェース部
１７  ５ビット電文式通信機能付きメータ
１８  ８ビット電文信号対応インターフェース部
１９  ８ビット電文式通信機能付きメータ
２０  電話機
２１  接続部
２２  ８ビット電文式アナログ公衆回線網制御装置
２３  デジタル公衆回線網
２４  ８ビット電文式デジタル公衆回線網制御装置
２５  無線公衆回線網
２６  ８ビット電文式無線公衆回線網制御装置
２７  公衆回線網
２８  ８ビット電文式集中伝送装置
【図１】
0003996725.tif 000002
【図２】
0003996725.tif 000003
【図３】
0003996725.tif 000004
【図４】
0003996725.tif 000005
【図５】
0003996725.tif 000006
【図６】
0003996725.tif 000007
【図７】
0003996725.tif 000008
【図８】
0003996725.tif 000009
【図９】
0003996725.tif 000010